(57)【要約】【課題】名刺整理における配列、順番の自由度を増大し、一部カードについては展示を可能とすることで、使用者の利便性を向上する。【解決手段】名刺整理具１は、ケース２と、このケース２内に収容され、複数の名刺ＮＣを抜き差し可能に収納したフォルダ３とを有している。ケース２の箱本体２Ａがその内部に各フォルダ３を個別に抜き差しかつ配列自在に収容しており、箱本体２Ａの上部には開閉蓋部２Ｂが開閉可能に設けられている。手前壁部２Ｆの下差し込み部４と、第１上蓋部２Ｂａの上差し込み部５とが、名刺ＮＣを視認可能な状態に仮置き保持する。【選択図】  図１
2007136750.tif 000002
【特許請求の範囲】
【請求項１】
複数のカードを抜き差し可能に収納する小分け収納手段と、
複数の前記小分け収納手段を、個別に抜き差しかつ配列自在に収容する略箱体形状の収容手段と、
前記カードを、使用者が視認可能な状態に仮置き保持するための保持手段と
を有することを特徴とするカード整理具。
【請求項２】
請求項１記載のカード整理具において、
前記収容手段は、
前記複数の小分け手段を収容する収容領域を備えた箱本体と、
この箱本体の上部に開閉可能に設けられた開閉蓋とを備えることを特徴とするカード整理具。
【請求項３】
請求項２記載のカード整理具において、
前記保持手段は、前記開閉蓋に設けられていることを特徴とするカード整理具。
【請求項４】
請求項１乃至３のいずれか１項記載のカード整理具において、
前記小分け収納手段は、少なくとも一部が透過性材料で構成されていることを特徴とするカード整理具。
【請求項５】
請求項１乃至４のいずれか１項記載のカード整理具において、
前記小分け収納手段は、前記収容手段に収容された状態で使用者が視認可能な見出し領域を備えることを特徴とするカード整理具。
【発明の詳細な説明】
【技術分野】
【０００１】
本発明は、比較的小型のカードを整理収納するためのカード整理具に関するものである。
【背景技術】
【０００２】
例えば、名刺、会員証、ポイントカード等、比較的小型のカードを整理収納するためのカード整理具の一例として、従来、例えば特許文献１記載の名刺整理箱が知られている。
【０００３】
この名刺整理箱では、略長方形の箱体からなるボックス本体の長手方向両側壁面の間を掛け渡すように複数の間仕切り板を設け、ボックス本体内部を複数の正方形ブロックに区画する。そして、各ブロックの底面に設けた係合孔に対し区画板の係合突起を係合させることにより各ブロックに区画板を縦方向・横方向自在に配設し、当該ブロックをさらに小領域に区画できるようになっている。
【０００４】
【特許文献１】特開平８−１１８８６８号公報
【発明の開示】
【発明が解決しようとする課題】
【０００５】
上記従来技術においては、正方形ブロック内を縦横配設自在の区画板で仕切ることにより、カード（名刺）を収納するための場所（小領域）を比較的自由に設定できるようになっている。しかしながら、ボックス本体内において複数の正方形ブロック相互の配列位置関係は固定であるため、各正方形ブロックにカードをグループ分けして一旦収納した後は、各グループの配列順番を変更するのは困難であった。また、一旦整理箱内に収納されたカードの一部を（電話連絡・メール送信等所定の作業を行うために）取り出した場合や、整理箱内に収納する前の未整理の状態のカードについて、それらのカードを一時的に仮置き（使用者への展示）するような場所についても特に配慮されていなかった。
【０００６】
本発明の目的は、カード整理における配列、順番の自由度を増大し、一部カードについては展示を可能とすることで、使用者の利便性を向上できるカード整理具を提供することにある。
【課題を解決するための手段】
【０００７】
上記目的を達成するために、第１の発明は、複数のカードを抜き差し可能に収納する小分け収納手段と、複数の前記小分け収納手段を、個別に抜き差しかつ配列自在に収容する略箱体形状の収容手段と、前記カードを、使用者が視認可能な状態に仮置き保持するための保持手段とを有することを特徴とする。
【０００８】
本願第１発明においては、小分け収納手段に複数のカードを抜き差し可能に収納し、それら複数の小分け収納手段が収容手段に収容される。これにより、多数のカードを複数の小分け収納手段を用いて使用者の望む所望の単位にグループ化して分類できるとともに、収容手段内における各グループの配列順番についても使用者の望む態様に設定することができる。また、各小分け収納手段が個別に抜き差しかつ配列自在に収容手段に収容されることにより、収容手段から小分け収納手段を適宜抜き差しして配列を入れ替えることで、収容手段内におけるカード各グループの配列順番をその後も随時変更することができる。さらに、視認可能にカードを仮置き保持する保持手段を用いて、特に使用者の目に付かせたいカードをピックアップして使用者に対し展示し、例えば所定の作業を行うべき状態であること、あるいは未整理状態であること等を使用者に報知することもできる。
【０００９】
このようにして、カード整理における配列、順番の自由度を増大できるとともに、一部カードについては展示による報知を行うこともできるので、カード整理を行う際における使用者の利便性を飛躍的に向上することができる。
【００１０】
第２発明は、上記第１発明において、前記収容手段は、前記複数の小分け手段を収容する収容領域を備えた箱本体と、この箱本体の上部に開閉可能に設けられた開閉蓋とを備えることを特徴とする。
【００１１】
箱本体の上部に設けた開閉蓋を開いて箱本体の内部を露出することで、収容領域に収容された複数の小分け収納手段を容易に抜き差しし、配列を設定したり入れ替えたりすることができる。
【００１２】
第３発明は、上記第２発明において、前記保持手段は、前記開閉蓋に設けられていることを特徴とする。
【００１３】
開閉蓋に保持手段を設けることにより、保持手段を別途設ける場合に比べて部品点数を低減して製造コストを低減するとともに、設置スペースを縮小して整理具全体の小型化を図ることができる。
【００１４】
第４発明は、上記第１乃至第３発明のいずれかにおいて、前記小分け収納手段は、少なくとも一部が透過性材料で構成されていることを特徴とする。
【００１５】
これにより、小分け収納手段に収納された複数のカードのうち最手前側のカードについては、小分け収納手段から取り出さなくても、透過性材料を透かしてその内容を視認することができる。
【００１６】
第５発明は、上記第１乃至第４発明のいずれか１つにおいて、前記小分け収納手段は、前記収容手段に収容された状態で使用者が視認可能な見出し領域を備えることを特徴とする。
【００１７】
これにより、各小分け収納手段の見出し領域に当該小分け収納手段内のカードグループの属性等を記載しておくことで、さらに使用者の整理利便性を向上することができる。
【発明の効果】
【００１８】
本発明によれば、カード整理における配列、順番の自由度を増大し、一部カードについては展示を可能とすることで、使用者の利便性を向上できる。
【発明を実施するための最良の形態】
【００１９】
以下、本発明の一実施の形態を図面を参照しつつ説明する。本実施形態は、カードの一例として名刺を整理収納する名刺整理具に本発明を適用した場合の実施形態である。
【００２０】
図１は、本実施形態の名刺整理具の全体構造を表す斜視図である。
【００２１】
図１において、本実施形態の名刺整理具１は、略箱体形状のケース（収容手段）２と、このケース２内の収容空間Ｒ１（後述の図２（ａ）参照）に複数個（この例では８個。但し図示しない１個は取り出されている）収容されたフォルダ（小分け収納手段）３とから構成されている。
【００２２】
ケース２は、左側壁部２Ｌと、右側壁部２Ｒと、手前壁部２Ｆと、奥壁部２Ｅと、底壁部２Ｇ（後述の図２（ａ）参照）からなる箱本体２Ａを備えており、この箱本体２Ａが、その内部に各フォルダ３を個別に抜き差しかつ配列自在に収容している。また、この箱本体２Ａの上部には、開閉蓋部（開閉蓋）２Ｂが開閉可能に設けられている。
【００２３】
フォルダ３は、複数の名刺ＮＣを抜き差し可能に収納している。この例では、名刺をその氏名の五十音に沿って、ア行、カ行、サ行、タ行、ナ行、ハ行、マ行、ヤ行の８つのグループに分け、それぞれを別々のフォルダ３に収納した例を示している（後述する見出し領域３Ｃの「ア」「カ」「サ」「タ」「ナ」「ハ」「マ」「ヤ」参照）。なお、図示の場合、タ行氏名の名刺を収納したフォルダ３はケース２より取り出されている（後述の図４参照）状態を表している。
【００２４】
図２（ａ）は、上記ケース２の詳細構造を表す上記図１から抽出した斜視図であり、図２（ｂ）は、図２（ａ）に示した構造のケース２の上記開閉蓋部２Ｂを閉じた状態を表す図２（ａ）中Ａ方向から見た場合に相当する矢視図である。
【００２５】
これら図２（ａ）及び図２（ｂ）において、開閉蓋部２Ｂは、複数（この例では３つ）の折り線Ｋ１，Ｋ２，Ｋ３を介し屈曲折り畳み可能な形状を備えるとともに、上記奥壁部２Ｅへの接続部である折り線Ｋ１においてこの折り線Ｋ１を回動支点として上方へ開閉可能に構成されている。
【００２６】
図３（ａ）〜（ｄ）は、上記図２（ｂ）に示した閉じ状態から開閉蓋部２Ｂを徐々に開き図２（ａ）に示した開き状態へ移行するまでの過程を表す開閉状態推移図である。
【００２７】
これら図３（ａ）〜（ｄ）、前述の図２（ａ）及び図２（ｂ）において、開閉蓋部２Ｂは、奥壁部２Ｅの上端部に上記折り線Ｋ１を介し連設され、閉じ状態で上記左・右側壁部２Ｌ，２Ｒの上縁部の奥側に略密着して閉止可能な第１上蓋部２Ｂａと、この第１上蓋部２Ｂａの上記折り線Ｋ１と反対側に上記折り線Ｋ２を介し連設され、閉じ状態で上記左・右側壁部２Ｌ，２Ｒの上縁部の手前側に略密着して閉止可能な第２上蓋部２Ｂｂと、この第２上蓋部２Ｂｂの上記折り線Ｋ２と反対側に上記折り線Ｋ３を介し連設され、閉じ状態で上記左・右側壁部２Ｌ，２Ｒの前縁部及び上記手前壁部２Ｆに略密着して閉止可能な手前蓋部２Ｂｃとを備えている。
【００２８】
手前壁部２Ｆには、名刺ＮＣを差し込み挟み込むことにより使用者が視認可能な状態に名刺ＮＣを仮置き保持する（図１参照）ための、（この例では切り込んで形成された）下差し込み部（保持手段）４が設けられている。
【００２９】
また第１上蓋部２Ｂａの裏側左右両側には、上記下差し込み部４と同様、名刺ＮＣを差し込み挟み込むことにより使用者が視認可能な状態に名刺ＮＣを仮置き保持する（図１参照）ための、この例ではポケット状に形成された上差し込み部（保持手段）５が設けられている。
【００３０】
図４は、上記フォルダ３の詳細構造を表す斜視図である。
【００３１】
図４において、フォルダ３は、左側板部３Ｌと、右側板部３Ｒと、手前板部３Ｆと、奥壁板３Ｅと、底板部３Ｇとを備え、これらによって上方が開口した上下方向に縦長の略細箱状に形成されている。そして、図５に示すように使用者が複数の名刺ＮＣを手ＨＤで把持して束ねることで、それら複数の名刺ＮＣを一塊りとしてフォルダ３内部の収納空間Ｒ２に出し入れ可能となっている。なお、上記左側板部３Ｌ、右側板部３Ｒ、手前板部３Ｆ、奥壁板３Ｅ、底板部３Ｇのうち少なくとも一部（この例では左側板部３Ｌと手前板部３Ｆ）は、透過性材料で構成されており、フォルダ３から取り出さなくてもそれら板部３Ｌ，３Ｆ越しに、名刺ＮＣ（詳細には収納された複数の名刺ＮＣのうち最手前側の名刺ＮＣ）の記載内容を概ね視認できるようになっている。
【００３２】
なお、この視認性がある程度確保できる場合であって、フォルダ３内部にある名刺ＮＣの内容を視認することで当該フォルダ３内の名刺グループの属性を使用者が認識・推測可能な場合には、後述する見出し領域３Ｃを省略することも可能である。
【００３３】
左側板部３Ｌ及び右側板部３Ｒはそれぞれ、上下方向縦長の長方形形状から、手前側上側角部を切欠いた形状（＝いわゆる面取り形状）の切欠き状縁部３Ｌａ，３Ｒａを備えており、内部に収納した名刺ＮＣの上端部をこれら縁部３Ｌａ，３Ｒａから露出させ、名刺ＮＣの取り出し時に使用者の手ＨＤの指先でつまみ出しやすいように図られている。
【００３４】
このとき、上記左・右側板部３Ｌ，３Ｒは、切欠き状縁部３Ｌａ，３Ｒａの傾斜角度又は切り欠き位置を互いに異ならせることにより、側方から見て、一方側（この例では左側板部３Ｒの切欠き状縁部３Ｒａ）のほうが他方側（この例では右側板部３Ｌの切欠き状縁部３Ｌａ）よりも前方側に突出するように構成されている。このような構成により、使用者が手ＨＤで複数の名刺ＮＣを一塊りとして（図５参照）フォルダ３内部の収納空間Ｒ２に差し込んで入れようとする際、図６に示すように、名刺ＮＣの差し込み側の端部を当該突出している側板部（この例では左側板部３Ｒ）の先端部近傍に当接させこれをガイドとして差し込むことで、より容易かつ円滑に差し込めるようになっている。
【００３５】
なお、このように各側板部の切り欠き形状の傾斜に差をつけるのではなく、一方側の側板部を上記切り欠き形状とし他方側の側板部については切り欠き形状を設けないようにしてもよく、この場合も上記同様のガイド作用を得ることができる。
【００３６】
図４に戻り、またフォルダ３の手前板部３Ｆには、使用者が整理時の便宜のために適宜の文字等からなる見出し表記（直接記載してもよいし、ラベル等を貼り付けてもよい）を可能な見出し領域３Ｃが設けられている。この見出し領域３Ｃは、先に図１に示したように、ケース２内に収容された状態でも、使用者が視認可能となっている。また、前述したように、図４の例では、ケース２内に８個のフォルダ３（それぞれ見出し領域３Ｃが「ア」「カ」「サ」「タ」「ナ」「ハ」「マ」「ヤ」）が収納されていた状態から取り出されたタ行氏名の名刺を収納するフォルダ３を示している。なお、他の７個のフォルダについても同一の構造である。
【００３７】
次に、本実施形態の作用効果を説明する。
【００３８】
本実施形態の名刺整理具１においては、フォルダ３に複数の名刺ＮＣが抜き差し可能に収納され、それら複数のフォルダ３がケース２に収容される。これにより、多数の名刺ＮＣを複数のフォルダ３を用いて使用者の望む所望の単位にグループ化して分類できるとともに、ケース２内における各グループの配列順番についても使用者の望む態様に設定することができる。
【００３９】
例えば図１の例では、名刺ＮＣにおける記載氏名の五十音に沿って、ア行、カ行、サ行、タ行、ナ行、ハ行、マ行、ヤ行の合計８グループに分類し、この順番で左から右に見出し領域３Ｃ「ア」「カ」「サ」「タ」「ナ」「ハ」「マ」のように配列したが、逆に右から左に見出し領域３Ｃ「ア」「カ」「サ」「タ」「ナ」「ハ」「マ」のように並べることもできる（図示省略）。
【００４０】
また、上記のような五十音に沿った分類ではなく、他の分類も可能である。図７は、名刺ＮＣに係る人物の重要度、取引関係、名刺受取時期等の属性に応じてグループ分けした場合を示している。この例では、受取時期が比較的古く最近は取引がほとんどない人物の名刺ＮＣを見出し領域３Ｃが「ＯＬＤ．０１」「ＯＬＤ．０２」の２グループ、受取時期が比較的最近でよく取引を行っている人物の名刺ＮＣを見出し領域３Ｃが「ＡＣＴＩＶＥ．０１」「ＡＣＴＩＶＥ．０２」の２グループ、重要人物が記載された名刺ＮＣを見出し領域３Ｃ「ＩＭＰＯＲＴＡＮＴ．Ａ」「ＩＭＰＯＲＴＡＮＴ．Ｂ」の２グループ、一般人物が記載された名刺ＮＣを見出し領域３Ｃ「ＧＥＮＥＲＡＬ．Ａ」「ＧＥＮＥＲＡＬ．Ｂ」の２グループ、以上合計８グループに分けている。
【００４１】
そして、この例では、左から右に見出し領域３Ｃ「ＡＣＴＩＶＥ．０１」「ＡＣＴＩＶＥ．０２」「ＩＭＰＯＲＴＡＮＴ．Ａ」「ＩＭＰＯＲＴＡＮＴ．Ｂ」「ＧＥＮＥＲＡＬ．Ａ」「ＧＥＮＥＲＡＬ．Ｂ」「ＯＬＤ．０１」「ＯＬＤ．０２」のようにフォルダ３を配列している。しかしながら、逆に右から左に見出し領域３Ｃ「ＡＣＴＩＶＥ．０１」「ＡＣＴＩＶＥ．０２」「ＩＭＰＯＲＴＡＮＴ．Ａ」「ＩＭＰＯＲＴＡＮＴ．Ｂ」「ＧＥＮＥＲＡＬ．Ａ」「ＧＥＮＥＲＡＬ．Ｂ」「ＯＬＤ．０１」「ＯＬＤ．０２」のように並べることもできる。その他、例えばよく使用する（頻度の高い）「ＡＣＴＩＶＥ．０１」「ＡＣＴＩＶＥ．０２」は別格扱いとして中央位置に配置する等も可能である。
【００４２】
また、本実施形態の名刺整理具１においては、各フォルダ３が個別に抜き差しかつ配列自在にケース２に収容されることにより、ケース２からフォルダ３を適宜抜き差しして配列を入れ替えることで、一旦各フォルダ３を所定の順番でケース２内に収容した後も、名刺各グループの配列順番をその後随時変更することができる。
【００４３】
例えば、図１を用いて前述したように一旦左から右に見出し領域３Ｃ「ア」「カ」「サ」「タ」「ナ」「ハ」「マ」のように配列したが、その後の使用者の都合により、逆に右から左に「ア」「カ」「サ」「タ」「ナ」「ハ」「マ」のようにフォルダ３を並べ変えることもできる。その他、よく使用する（頻度の高い）ものについては別格扱いとして左端又は右端、あるいは中央位置に配置するように変更する等も随時可能である。同様に、図７を用いて前述したようにして一旦左から右に見出し領域３Ｃ「ＡＣＴＩＶＥ．０１」「ＡＣＴＩＶＥ．０２」「ＩＭＰＯＲＴＡＮＴ．Ａ」「ＩＭＰＯＲＴＡＮＴ．Ｂ」「ＧＥＮＥＲＡＬ．Ａ」「ＧＥＮＥＲＡＬ．Ｂ」「ＯＬＤ．０１」「ＯＬＤ．０２」のように配列したが、その後の使用者の都合により、右から左に「ＡＣＴＩＶＥ．０１」「ＡＣＴＩＶＥ．０２」「ＩＭＰＯＲＴＡＮＴ．Ａ」「ＩＭＰＯＲＴＡＮＴ．Ｂ」「ＧＥＮＥＲＡＬ．Ａ」「ＧＥＮＥＲＡＬ．Ｂ」「ＯＬＤ．０１」「ＯＬＤ．０２」のようにフォルダ３を並べ変えることもできる。あるいは、重要人物のものを別格扱いとして左端とするために、左から右に見出し領域３Ｃ「ＩＭＰＯＲＴＡＮＴ．Ａ」「ＩＭＰＯＲＴＡＮＴ．Ｂ」「ＧＥＮＥＲＡＬ．Ａ」「ＧＥＮＥＲＡＬ．Ｂ」「ＡＣＴＩＶＥ．０１」「ＡＣＴＩＶＥ．０２」「ＯＬＤ．０１」「ＯＬＤ．０２」のように配列するように変更する等も随時可能である。
【００４４】
さらに、このようなケース２におけるフォルダ３の配列自在性を活用すると、時系列に沿ったいわゆる押し出しファイリングを行うことも可能である。この例を図８を用いて説明する。図８（ａ）は、見出し領域３Ｃに「１」「２」「３」「４」「５」「６」「７」「８」の見出しをもつ８つのフォルダ３に、名刺ＮＣを受け取った時期に沿って、古い順に、右から左に向かって「８」「７」「６」「５」「４」「３」「２」「１」のように名刺ＮＣをグループ分けしつつ収納した場合を示している。すなわち、一番古い見出し領域３Ｃ「８」のフォルダ３がケース２の右端に配列され、一番新しい見出し領域３Ｃ「１」のフォルダ３がケース２の左端に配列された状態である。
【００４５】
この後、さらに新規に名刺ＮＣが貯まり、新たにケース２内の中に収納して整理したいような場合、例えば、使用者は、上記ケース２の右端にある「８」のフォルダ３を取り出し、その内部の最も古い名刺グループを捨てる（又は別途の保管場所に移す）。そして、空になった「８」のフォルダ３に、今回新しく加わった複数の名刺ＮＣを収納すると共に、既にケース２内に左端から「１」「２」「３」「４」「５」「６」「７」の順に並んだ各フォルダ３を右に１つずつずらし（これによりケース２内の右端に「７」のフォルダ３が位置することとなる）、空いた左端位置に当該新しい名刺ＮＣを収納した「８」のフォルダ３を配置する。これにより、ケース１内には、図８（ｂ）に示すように、左端から「８」「１」「２」「３」「４」「５」「６」「７」の順で各フォルダ３が並ぶこととなる。
【００４６】
以降、同様に、新しい名刺ＮＣを新たにケース２に収納するたびに、右端のフォルダ３をケース２から取り出して空にし、当該空のフォルダ３に新たな名刺ＮＣを収納してケース２内の左端位置へ配置し、残りの各フォルダ３を１つ右側へとずらす。これを繰り返すことにより、最新の名刺ＮＣを収納したフォルダ３が常時ケース２内の左端に位置し、古くなるとともにケース２内を順次右側へ押し出されるように移動して、結果として最も古い名刺ＮＣを収納したフォルダ３が常時ケース２内の右端に配置される、いわゆる押し出しファイリングを実行することができる。この場合、各フォルダ３それぞれの位置が、現時点よりどれだけ古い名刺ＮＣであるかを概ね反映しているので、時系列に沿った整理及びその後の活用を行いたい使用者にとって大きく利便性を向上できる効果がある。
【００４７】
さらに、本実施形態の名刺整理具１においては、保持手段としての上・下差し込み部５，４に視認可能に名刺ＮＣを仮置き保持する（図１参照）ことで、特に使用者の目に付かせたい名刺ＮＣをピックアップして使用者に対し展示し、例えば所定の作業を行うべき状態である（メール送信や電話連絡をする予定である）こと、あるいは未整理状態であること等を使用者に報知することもできる。
【００４８】
以上説明したように、本実施形態の名刺整理具１によれば、フォルダ３を用いて名刺ＮＣの整理における配列、順番の自由度を増大できるとともに、一部の名刺ＮＣについては差し込み部４，５を用いて展示による報知を行うこともできるので、名刺整理を行う際における使用者の利便性を飛躍的に向上することができる。
【００４９】
また、本実施形態では特に、箱本体２Ａの上部に設けた開閉蓋部２Ｂを開いて箱本体２Ａの内部を露出することで、ケース２内の収容空間Ｒ１に収容された複数のフォルダ３を容易に抜き差しし、配列を設定したり入れ替えたりすることができる。
【００５０】
また、本実施形態では特に、保持手段としての下差し込み部４を手前壁部２Ｆに設けるとともに上差し込み部５を第１上蓋部２Ｂａに設けることにより、保持手段をケース２とは別に設ける場合に比べて部品点数を低減して製造コストを低減するとともに、設置スペースを縮小して名刺整理具１全体の小型化を図ることができる。
【００５１】
なお、本発明は上記実施形態に限られるものではなく、その趣旨及び技術的思想を逸脱しない範囲で種々の変形が可能である。以下、そのような変形例を順を追って説明する。
【００５２】
（１）異なる保持手段を設けた変形例
図９（ａ）は本変形例による名刺整理具１の全体構造を表す開閉蓋部２Ｂの開き状態の斜視図であり、図９（ｂ）は開閉蓋部２Ｂの閉じ状態を表す斜視図であり、それぞれ、上記実施形態の図１及び図２（ｂ）に対応する図である。上記実施形態と同等の部分には同一の符号を付し、適宜説明を省略又は簡略化する。
【００５３】
これら図９（ａ）及び図９（ｂ）において、本変形例の名刺整理具１−０では、開閉蓋部２Ｂは、２つの折り線Ｋ１，Ｋ３を介し屈曲折り畳み可能な形状を備え、奥壁部２Ｅへの接続部である上記折り線Ｋ１を回動支点として開閉可能に構成されている。
【００５４】
開閉蓋部２Ｂは、奥壁部２Ｅの上端部に上記折り線Ｋ１を介し連設され、閉じ状態で上記左・右側壁部２Ｌ，２Ｒの上縁部に略密着して閉止可能な上蓋部２Ｂａｂ（上記実施形態の第１上蓋部２Ｂａと第２上蓋部２Ｂｂとを合体させたものに相当）と、この上蓋部２Ｂａｂの上記折り線Ｋ１と反対側に上記折り線Ｋ３を介し連設され、閉じ状態で上記左・右側壁部２Ｌ，２Ｒの前縁部の上側及び上記手前壁部２Ｆの上縁に略密着して閉止可能な手前蓋部２Ｂｃとを備えている。
【００５５】
上記上蓋部２Ｂａｂの裏側には、名刺ＮＣの（載置状態における）下端部を滑らないように係止することにより使用者が視認可能な状態に名刺ＮＣを（略立った状態で）仮置き保持するための、凹部又は突起からなる係止部（保持手段）６が設けられている。
【００５６】
本変形例の名刺整理具１−０によっても、上記実施形態の名刺整理具１とほぼ同様の効果を得る。すなわち、フォルダ３を用いて名刺ＮＣの整理における配列、順番の自由度を増大できるとともに、一部の名刺ＮＣについては係止部６を用いて展示による報知を行うこともできるので、名刺整理を行う際における使用者の利便性を飛躍的に向上することができる。また開閉蓋部２Ｂを開いて箱本体２Ａの内部を露出することでフォルダ３を容易に抜き差しすることができる。さらに、保持手段としての係止部６を上蓋部２Ｂａｂに設けたことにより製造コスト低減と名刺整理具１−０全体の小型化を図ることができる。
【００５７】
（２）開閉方向が異なる変形例
図１０（ａ）は本変形例による名刺整理具１−１の全体構造を表す開閉蓋部２Ｂ′の閉じ状態を表す斜視図であり、図１０（ｂ）は開閉蓋部２Ｂ′の閉じ状態を表す斜視図であり、それぞれ、上記実施形態の図２（ｂ）及び図１に対応する図である。上記実施形態と同等の部分には同一の符号を付し、適宜説明を省略又は簡略化する。
【００５８】
これら図１０（ａ）及び図１０（ｂ）において、本変形例の名刺整理具１−１では、開閉蓋部２Ｂ′が、複数（この例では３つ）の折り線Ｋ４′，Ｋ３′，Ｋ２′を介し屈曲折り畳み可能な形状を備えるとともに、手前壁部２Ｆへの接続部である折り線Ｋ４′においてこの折り線Ｋ４′を回動支点として手前側に開閉可能に構成されている。
【００５９】
すなわち、開閉蓋部２Ｂ′は、手前壁部２Ｅの上端部に上記折り線Ｋ４′を介し連設され、閉じ状態で上記左・右側壁部２Ｌ，２Ｒの前縁部に略密着して閉止可能な手前蓋部２Ｂｃ′と、この手前蓋部２Ｂｃ′の上記折り線Ｋ４′と反対側に上記折り線Ｋ３′を介し連設され、閉じ状態で上記左・右側壁部２Ｌ，２Ｒの上縁部の手前側に略密着して閉止可能な第２上蓋部２Ｂｂ′と、この第２上蓋部２Ｂｂ′の上記折り線Ｋ３′と反対側に上記折り線Ｋ２′を介し連設され、閉じ状態で上記左・右側壁部２Ｌ，２Ｒの上縁部の奥側に略密着して閉止可能な第１上蓋部２Ｂａ′とを備えている。
【００６０】
上記手前蓋部２Ｂｃ′の裏側には、図１１に示すように、名刺ＮＣの（載置状態での）下端部を滑らないように係止することにより使用者が視認可能な状態に名刺ＮＣを（略立った状態で）仮置き保持するための、突起（又は凹部でもよい）からなる係止部（保持手段）７が設けられている。
【００６１】
本変形例の名刺整理具１−１によっても、上記実施形態の名刺整理具１と同様、フォルダ３を用いて名刺ＮＣの整理における配列、順番の自由度を増大できるとともに、一部の名刺ＮＣについては係止部７を用いて展示による報知を行うこともできるので、名刺整理を行う際における使用者の利便性を飛躍的に向上することができる。また開閉蓋部２Ｂ′を開いて箱本体２Ａの内部を露出することでフォルダ３を容易に抜き差しすることができる。さらに保持手段としての係止部７を手前蓋部２Ｂｃ′に設けたことにより製造コスト低減と名刺整理具１−１全体の小型化を図ることができる。
【００６２】
（３）上蓋・下蓋合わせタイプの変形例
図１２（ａ）は本変形例による名刺整理具１−２の全体構造を表す着脱蓋部２２の外し状態を表す斜視図であり、図１２（ｂ）は着脱蓋部２２を外してさらに天地をひっくり返して置いた状態を表す斜視図である。上記実施形態と同等の部分には同一の符号を付し、適宜説明を省略又は簡略化する。
【００６３】
これら図１２（ａ）及び図１２（ｂ）において、本変形例の名刺整理具１−２では、ケース（収容手段）２″が、本体部１２に対し着脱蓋部２２を被せ合わせる上・下合わせ構造となっている。
【００６４】
本体部１２は、左側壁部１２Ｌと、右側壁部１２Ｒと、手前壁部１２Ｆと、奥壁部１２Ｅと、底壁部１２Ｇからなる、略平箱形状に構成されている。着脱蓋部２２は、左側壁部２２Ｌと、右側壁部２２Ｒと、手前壁部２２Ｆと、奥壁部２２Ｅと、頂壁部２２Ｕからなる、略平箱形状に構成されている。そして、図１２（ａ）に示すように、着脱蓋部２２の左側壁部２２Ｌ、右側壁部２２Ｒ、手前壁部２２Ｆ、奥壁部２２Ｅを、本体部１２の左側壁部１２Ｌ、右側壁部１２Ｒ、手前壁部１２Ｆ、及び奥壁部１２Ｅの外側にそれぞれ被せるようにしてはめ合わせるようになっている。
【００６５】
そして、上記着脱蓋部２２の裏側には、図１２（ａ）及び図１２（ｂ）に示すように、突起（又は凹部でもよい）からなる係止部（保持手段）８が設けられており、図１２（ｂ）に示すように着脱蓋部２２を本体部１２から取り外して天地逆にひっくり返した状態に配置した場合に、上記係止部８が名刺ＮＣの（載置状態における）下端部を滑らないように係止することにより使用者が視認可能な状態に名刺ＮＣを（略立った状態で）仮置き保持できるようになっている。
【００６６】
本変形例の名刺整理具１−２によっても、上記実施形態の名刺整理具１と同様、フォルダ３を用いて名刺ＮＣの整理における配列、順番の自由度を増大できるとともに、一部の名刺ＮＣについては係止部８を用いて展示による報知を行うこともできるので、名刺整理を行う際における使用者の利便性を飛躍的に向上することができる。また保持手段としての係止部８を着脱蓋部２２に設けたことにより製造コスト低減と名刺整理具１−２全体の小型化を図ることができる。
【００６７】
（４）ストラップ付きフォルダ
図１３は、本変形例によるフォルダ３の概略構造を表す側面図である。図１３に示すように、この変形例では、フォルダ３の一部（この例では右側板部３Ｒ）に、ストラップＳが固定された着脱具Ｍを取り付けるための取り付け孔Ｈが孔設されている。なお、着脱具Ｍを介さず直接ストラップＳを取り付け孔Ｈに通すようにしてもよい。
【００６８】
このような構造とすると、使用者がストラップＳを首や肩等にかけることで、フォルダ３ごと複数の名刺ＮＣを気軽に持ち歩くことができるという効果がある。また着脱具Ｍ（又はストラップＳ）をフォルダ３の取り付け孔Ｈから離脱可能とすることで、上記のように気軽に持ち歩いた後のフォルダ３について、整理収納時には着脱具Ｍ（又はストラップＳ）から切り離して前述したようにケース２の収容領域Ｒ１へ収容することができる。
【００６９】
なお、以上は、保持手段をケース２の開閉蓋部や着脱蓋部の裏面を流用して設けていたが、これに限られない。すなわち、それら蓋部の表面に、名刺ＮＣを保持する機能を備えた保持トレイ、保持枠、保持台のようなものを取り付け固定してもよいし、蓋部以外の他の部位（側壁部や手前壁部等）に同様のものを外付けしてもよい。これらの場合も、一部の名刺ＮＣについて展示による報知を行うという本発明本来の効果を得ることはできる。
【００７０】
また、以上は、カードの一例として名刺ＮＣを例に取り、本発明を、名刺を整理するための名刺整理具に適用した場合を例にとって説明したが、これに限られず、会員証、ポイントカード等、その他の比較的小型のカードを整理収納するためのカード整理具に適用してもよい。これらの場合も同様の効果を得る。
【００７１】
また、以上既に述べた以外にも、上記実施形態や各変形例による手法を適宜組み合わせて利用しても良い。
【００７２】
その他、一々例示はしないが、本発明は、その趣旨を逸脱しない範囲内において、種々の変更が加えられて実施されるものである。
【図面の簡単な説明】
【００７３】
【図１】本発明の一実施形態の名刺整理具の全体構造を表す斜視図である。
【図２】図１に示したケースの詳細構造を表す抽出斜視図、及び開閉蓋部を閉じた状態で図２（ａ）中Ａ方向から見た場合に相当する矢視図である。
【図３】図２（ｂ）に示した閉じ状態から図２（ａ）に示した開き状態へ移行するまでの過程を表す開閉状態推移図である。
【図４】図１に示したフォルダの詳細構造を表す斜視図である。
【図５】使用者が手で複数の名刺を一塊りとして把持した状態を表す説明図である。
【図６】使用者が手で複数の名刺をフォルダ内部に差し込んで入れる挙動を表す説明図である。
【図７】名刺に係る人物の重要度、取引関係、名刺受取時期等の属性に応じてグループ分けした場合を表す図である。
【図８】押し出しファイリングを行うときの様子を表す図である。
【図９】異なる保持手段を設けた変形例による名刺整理具の全体構造を表す斜視図である。
【図１０】開閉方向が異なる変形例による名刺整理具の全体構造を表す斜視図である。
【図１１】係止部に名刺を仮置き保持した状態を表す図である。
【図１２】上蓋・下蓋合わせタイプの変形例による名刺整理具の全体構造を表す斜視図でる。
【図１３】ストラップ付きフォルダの概略構造を表す側面図である。
【符号の説明】
【００７４】
１                名刺整理具（カード整理具）
１−０            名刺整理具（カード整理具）
１−１            名刺整理具（カード整理具）
１−２            名刺整理具（カード整理具）
２                ケース（収容手段）
２″              ケース（収容手段）
２Ａ              箱本体
２Ｂ              開閉蓋部（開閉蓋）
２Ｂ′            開閉蓋部（開閉蓋）
３                フォルダ（小分け収納手段）
３Ｃ              見出し領域
４                下差し込み部（保持手段）
５                上差し込み部５（保持手段）
６                係止部（保持手段）
７                係止部（保持手段）
８                係止部（保持手段）
１２              本体部
２２              着脱蓋部
ＮＣ              カード
Ｒ１              ケース内の収容領域
Ｒ２              フォルダ内の収納空間
【図１】
2007136750.tif 000003
【図２】
2007136750.tif 000004
【図３】
2007136750.tif 000005
【図４】
2007136750.tif 000006
【図５】
2007136750.tif 000007
【図６】
2007136750.tif 000008
【図７】
2007136750.tif 000009
【図８】
2007136750.tif 000010
【図９】
2007136750.tif 000011
【図１０】
2007136750.tif 000012
【図１１】
2007136750.tif 000013
【図１２】
2007136750.tif 000014
【図１３】
2007136750.tif 000015